(57)【要約】【課題】モジュール化した設計を利用してワイヤレスイヤホン等の内部に設置し、組立てコストを大幅に削減できる、留め具を備えた内部モジュールを提供すること。【解決手段】電気回路２０と、絶縁座体３０と、留め具を含み、電気回路２０が、第１回路板と、第１回路板から延伸された第２回路板を含み、絶縁座体３０が、電気回路２０を固定するために用いられ、第１回路板を被覆する底板と、底板から延伸された第１側壁を含み、第１側壁上に第２回路板の設置に用いる第１位置決め溝が設けられ、前記留め具が、第１側壁上に固定され、第２回路板を第１位置決め溝内に固定するために用いられる。【選択図】図１
2020102830.tif 000002
【特許請求の範囲】
【請求項１】
留め具を備えた内部モジュールであって、電気回路と、絶縁座体と、少なくとも１つの留め具を含み、
前記電気回路が、第１回路板と、該第１回路板から延伸された第２回路板を含み、
前記絶縁座体が、前記電気回路を固定するために用いられ、前記第１回路板を被覆する底板と、該底板から延伸された第１側壁を含み、該第１側壁上に前記第２回路板の設置に用いる第１位置決め溝が設けられ、
前記少なくとも１つの留め具が、前記第１側壁上に固定され、前記第２回路板を前記第１位置決め溝内に固定するために用いられる、
ことを特徴とする、留め具を備えた内部モジュール。
【請求項２】
前記電気回路がさらに、前記第１回路板から前記第２回路板と逆方向に延伸された第３回路板を含む、ことを特徴とする、請求項１に記載の留め具を備えた内部モジュール。
【請求項３】
前記絶縁座体がさらに、前記底板から延伸されて前記第１側壁と相対する第２側壁を含み、かつ該第２側壁上に前記第３回路板の設置に用いる第２位置決め溝が設けられる、ことを特徴とする、請求項２に記載の留め具を備えた内部モジュール。
【請求項４】
前記絶縁座体がさらに、前記底板と相対し、かつ前記第１側壁と第２側壁を連接する連接壁を含み、前記絶縁座体上に給電ユニットの設置に供することができる収容空間が形成され、かつ前記給電ユニットを該収容空間に設置したとき、該給電ユニットと前記電気回路が相互に電気的に接続される、ことを特徴とする、請求項３に記載の留め具を備えた内部モジュール。
【請求項５】
前記連接壁上にさらに、スピーカーの設置に供することができる嵌置槽が設置され、かつ該スピーカーを該嵌置槽に設置したとき、該スピーカーと前記電気回路が相互に電気的に接続される、ことを特徴とする、請求項４に記載の留め具を備えた内部モジュール。
【請求項６】
前記内部モジュールがさらに、前記第２側壁上に固定され、前記第３回路板を前記第２位置決め溝内に固定するために用いられる少なくとも一つの留め具を含む、ことを特徴とする、請求項３に記載の留め具を備えた内部モジュール。
【請求項７】
前記第２側壁と該第２側壁に固定される留め具の間に、少なくとも１対の相互に係合可能な第２係合構造が設けられる、ことを特徴とする、請求項６に記載の留め具を備えた内部モジュール。
【請求項８】
前記第２係合構造が、前記第２側壁上に設けられた第２係合孔と、前記留め具に設置され、かつ該第２係合孔と相互に係合される第２係合突起とを含む、ことを特徴とする、請求項７に記載の留め具を備えた内部モジュール。
【請求項９】
前記第１側壁と該第１側壁に固定される留め具の間に少なくとも１対の相互に係合可能な第１係合構造が設けられる、ことを特徴とする、請求項１に記載の留め具を備えた内部モジュール。
【請求項１０】
前記第１係合構造が、前記第１側壁上に設けられた第１係合孔と、前記留め具に設置され、かつ該第１係合孔と相互に係合される第１係合突起とを含む、ことを特徴とする、請求項９に記載の留め具を備えた内部モジュール。
【発明の詳細な説明】
【技術分野】
【０００１】
本発明は、モジュール化した設計でワイヤレスイヤホン等の内部に設置し、組立てコストを大幅に削減できる、留め具を供えた内部モジュールに関する。
【背景技術】
【０００２】
電子装置に接続するために用いるイヤホンは、該電子装置が発する音声をイヤホンから人体の耳に伝送する。
一般的なイヤホンは、有線イヤホンとワイヤレスイヤホン（例えばＡｐｐｌｅ社が発表したＡＩＲＰＯＤＳ（登録商標）製品など）に分けることができ、有線イヤホンはワイヤを通じて該電子装置に接続され、ワイヤレスイヤホンはＢｌｕｅｔｏｏｔｈ（登録商標）等の無線通信伝送を通じて電子装置に接続される。
【０００３】
ところで、有線イヤホンはワイヤを通じて電子装置に接続する必要があり、有線イヤホンの使用範囲が制限され、ワイヤが存在するため、引っ張られやすく、かつ収納時にワイヤ同士が相互に絡まりやすい。
一方、ワイヤレスイヤホンは無線通信伝送を通じて接続されるので、使用範囲が該有線イヤホンより遠く、かつワイヤの引っ張りや絡まりが生じやすい問題がなく、このため、近年では、ワイヤレスイヤホンが有線イヤホンに徐々に取って代わっている。
【０００４】
通常、イヤホンは、外部がシェルで被覆されており、内部には回路板、スピーカー等が設置される。ワイヤレスイヤホンの内部にはさらにバッテリー、マイク、無線伝送モジュール等の部品を設置する必要がある。
従来、ワイヤレスイヤホンの組立てを行うとき、特許文献１に記載のように、回路板、スピーカー、バッテリー、マイク、無線伝送モジュール等の部品をそれぞれ順にシェル内部に設置して固定する必要がある。ところが、ワイヤレスイヤホン内部の部品数が多いため、ワイヤレスイヤホンの組立て時、大量の人力により組立てを行う必要があり、人件費の増加を招くだけでなく、ワイヤレスイヤホンは体積が小さいため、内部の組立て空間が限られ、各部品間に組立てミスにより破損が引き起こされやすく、ワイヤレスイヤホンの組立て歩留まりが低下する。
【先行技術文献】
【特許文献】
【０００５】
【特許文献１】台湾特許公告第Ｉ４３３５２４号明細書
【発明の概要】
【発明が解決しようとする課題】
【０００６】
本発明が解決しようとする課題は、モジュール化した設計を利用してワイヤレスイヤホン等の内部に設置し、組立てコストを大幅に削減できる、留め具を備えた内部モジュールを提供することにある。
【課題を解決するための手段】
【０００７】
本発明の留め具を備えた内部モジュールは、電気回路と、絶縁座体と、少なくとも１つの留め具を含み、前記電気回路が、第１回路板と、該第１回路板から延伸された第２回路板を含み、前記絶縁座体が、前記電気回路を固定するために用いられ、前記第１回路板を被覆する底板と、該底板から延伸された第１側壁を含み、該第１側壁上に前記第２回路板の設置に用いる第１位置決め溝が設けられ、前記少なくとも１つの留め具が、前記第１側壁上に固定され、前記第２回路板を前記第１位置決め溝内に固定するために用いられる。
【０００８】
一実施例において、前記電気回路がさらに、前記第１回路板から前記第２回路板と逆方向に延伸された第３回路板を含む。
【０００９】
一実施例において、前記絶縁座体がさらに、前記底板から延伸されて前記第１側壁と相対する第２側壁を含み、かつ該第２側壁上に前記第３回路板の設置に用いる第２位置決め溝が設けられる。
【００１０】
一実施例において、前記絶縁座体がさらに、前記底板と相対し、かつ前記第１側壁と第２側壁を連接する連接壁を含み、前記絶縁座体上に給電ユニットの設置に供することができる収容空間が形成され、かつ前記給電ユニットを該収容空間に設置したとき、該給電ユニットと前記電気回路が相互に電気的に接続される。
【００１１】
一実施例において、前記連接壁上にさらに、スピーカーの設置に供することができる嵌置槽が設置され、かつ該スピーカーを該嵌置槽に設置したとき、該スピーカーと前記電気回路が相互に電気的に接続される。
【００１２】
一実施例において、前記内部モジュールがさらに、前記第２側壁上に固定され、前記第３回路板を前記第２位置決め溝内に固定するために用いられる少なくとも一つの留め具を含む。
【００１３】
一実施例において、前記第２側壁と該第２側壁に固定される留め具の間に少なくとも１対の相互に係合可能な第２係合構造が設けられる。
【００１４】
一実施例において、前記第２係合構造が、前記第２側壁上に設けられた第２係合孔と、前記留め具に設置され、かつ前記第２係合孔と相互に係合される第２係合突起とを含む。
【００１５】
一実施例において、前記第１側壁と該第１側壁に固定される留め具の間に少なくとも１対の相互に係合可能な第１係合構造が設けられる。
【００１６】
一実施例において、前記第１係合構造が、前記第１側壁上に設けられた第１係合孔と、前記留め具に設置され、かつ前記第１係合孔と相互に係合される第１係合突起とを含む。
【発明の効果】
【００１７】
本発明は、従来技術と比較して次の利点を備えている。
１．内部モジュールは、絶縁座体により直接電気回路等を統合することができ、モジュール化したことで、組立て時に必要な人件費を大幅に削減できる。
２．内部モジュールは、ワイヤレスイヤホン等の形状に基づき絶縁座体の形状を変えることができ、異なる形状のワイヤレスイヤホン等に適用できる。
【図面の簡単な説明】
【００１８】
【図１】本発明の実施例を示す留め具を備えた内部モジュールの斜視図である。
【図２】本発明の実施例を示す留め具を備えた内部モジュールの別角度から見た斜視図である。
【図３】本発明の実施例に係る電気回路の斜視図である。
【図４】本発明の実施例に係る絶縁座体および電気回路の斜視図である。
【図５】本発明の実施例に係る絶縁座体および電気回路の別角度から見た斜視図である。
【図６】本発明の実施例を示す留め具を備えた内部モジュールの一部を分解した斜視図である。
【図７】本発明の実施例を示す留め具を備えた内部モジュールの別角度から見た一部を分解した斜視図である。
【発明を実施するための形態】
【００１９】
本発明の実施例を、図面を組み合わせ、以下で詳細に説明する。
図１および図２に示すように、本実施例において、留め具を備えた内部モジュール１０は、ワイヤレスイヤホンのハウジング（従来技術であるためここでは説明しない）内に設置するために用いられ、電気回路２０と、絶縁座体３０と、少なくとも１つの留め具４０と、給電ユニット５０と、スピーカー６０を含む。
【００２０】
電気回路２０は、図３に示すように、第１回路板２１と、第２回路板２２と、第３回路板２３より構成される。
第１回路板２１はリジッド回路板である。
第２回路板２２と第３回路板２３はそれぞれフレキシブル回路板であり、かつ第１回路板２１の２つの相対する側から外へ延伸され、第２回路板２２と第３回路板２３が互いに相対する。
電気回路２０はリジッド回路板とフレキシブル回路板で構成するほか、すべてフレキシブル回路板で構成するか、すべてリジッド回路板で構成してもよい。
かつ、第１回路板２１、第２回路板２２、第３回路板２３間が相互に電気的に接続される。
【００２１】
図４および図５に示すように、絶縁座体３０は、電気回路２０を固定するために用いられ、第１回路板２１を被覆する底板３１と、底板３１から延伸された第１側壁３２と、底板３１から延伸されて第１側壁３２と相対する第２側壁３３と、第１側壁３２と第２側壁３３を連接し、かつ底板３１と相対する連接壁３４を備える。また、絶縁座体３０上には、底板３１、第１側壁３２、第２側壁３３、連接壁３４を利用して給電ユニット５０の設置に供することができる収容空間３５が形成される。
さらに、第１側壁３２上に第２回路板２２の設置に供することができる第１位置決め溝３２１が設置される。第２側壁３３上に第３回路板２３の設置に供することができる第２位置決め溝３３１が設置される。連接壁３４上にスピーカー６０の設置に供することができる嵌置槽３４１が設置される。
絶縁座体３０の形状はワイヤレスイヤホンの形状に基づき変化させることができ、本実施例の該絶縁座体３０はそのうち１つの実施態様に過ぎないことに留意する。
【００２２】
留め具４０は第２回路板２２と第３回路板２３を絶縁座体３０上に固定するために用いられる。
本実施例において、留め具４０は、図７に示すように、第２回路板２２を絶縁座体３０上に固定する第１留め具４１及び第３留め具４３と、図６に示すように、第３回路板２３を絶縁座体３０上に固定する第２留め具４２及び第４留め具４４を含む。
【００２３】
組立て時は、まず絶縁座体３０を第１回路板２１上に設置する。本実施例において、絶縁座体３０は射出成型方式で第１回路板２１上に直接成型されているが、実際の応用上、絶縁座体３０は組み立て方式で第１回路板２１上に設置することを採用してもよい。
続いて、第２回路板２２を折り曲げて、第１位置決め溝３２１内に嵌置してから、第１留め具４１と第３留め具４３を、第２回路板２２に被せて第１側壁３２上に係着し、第２回路板２２を第１位置決め溝３２１内に固定する。
また、第３回路板２３を折り曲げて、第２位置決め溝３３１内に嵌置してから、第２留め具４２と第４留め具４４を第３回路板２３に被せて第２側壁３３上に係着する。
さらに、給電ユニット５０を収容空間３５内に設置し、給電ユニット５０と電気回路２０を相互に電気的に接続する。
最後に、スピーカー６０を嵌置槽３４１内に設置し、スピーカー６０と電気回路２０を相互に電気的に接続する。
これにより、内部モジュール１０を組み立てることができる。
【００２４】
第２回路板２２をより効果的に第１位置決め溝３２１内に固定できるようにするため、第２回路板２２上に第１位置決めブロック２２１と、第１位置決めブロック２２１に相隣する第３位置決めブロック２２２を設置する。そして、第２回路板２２が第１位置決め溝３２１内に設置されたとき、第１位置決めブロック２２１及び第３位置決めブロック２２２と第１位置決め溝３２１をそれぞれ緊密な組み合わせ方式または互いに干渉し合う方式（ここではあらゆる相互に固定可能な方式を指す）で相互に組み付け、第１留め具４１を第１位置決めブロック２２１に相対する外部に設置し、第３留め具４３を第３位置決めブロック２２２に相対する外部に設置して、それぞれ第１側壁３２と相互に係合させる。
【００２５】
第１留め具４１と第３留め具４３を第１側壁３２上に効果的に係合させるために、第１留め具４１と第１側壁３２の間に一対の相互に係合可能な第１係合構造（符号なし、後述する）を設置し、第３留め具４３と第１側壁３２の間に一対の相互に係合可能な第３係合構造（符号なし、後述する）を設置する。
第１係合構造は、第１側壁３２上に設置され、かつ第１位置決め溝３２１により互いに間が隔てられた２つの第１係合孔３２２と、第１留め具４１上に設置され、かつ２つの第１係合孔３２２にそれぞれ対応し、相互に係合される２つの第１係合突起４１１を含む。
第３係合構造は、第１側壁３２上に設置され、かつ第１位置決め溝３２１により互いに間が隔てられた２つの第３係合孔３２３と、第３留め具４３上に設置され、かつ２つの第３係合孔３２３にそれぞれ対応し、相互に係合される２つの第３係合突起４３１を含む。
【００２６】
このため、第２回路板２２が折り曲げられて第１位置決めブロック２２１と第３位置決めブロック２２２により第１位置決め溝３２１内部に固定された後、第１留め具４１の２つの第１係合突起４１１を２つの第１係合孔３２２に対応させて係合することで、第１留め具４１を第１側壁３２上に効果的に固定し、第１位置決めブロック２２１が第１位置決め溝３２１内から脱落しないようにすることができる。
続いて、第３留め具４３の２つの第３係合突起４３１を２つの第３係合孔３２３に対応させて係合することで、第３留め具４３を第１側壁３２上に効果的に固定し、第３位置決めブロック２２２が該第１位置決め溝３２１内から脱落しないようにすることができる。
【００２７】
第３回路板２３をより効果的に第２位置決め溝３３１内に固定できるようにするため、第３回路板２３上に第２位置決めブロック２３１と、第２位置決めブロック２３１に相隣する第４位置決めブロック２３２を設置し、第３回路板２３が第２位置決め溝３３１内に設置されたとき、第２位置決めブロック２３１及び第４位置決めブロック２３２を第２位置決め溝３３１とそれぞれ緊密な組み合わせ方式または互いに干渉し合う方式（ここではあらゆる相互に固定可能な方式を指す）で相互に組み付け、第２留め具４２を第２位置決めブロック２３１に相対する外部に設置し、第４留め具４４を第４位置決めブロック２３２に相対する外部に設置して、それぞれ第２側壁３３と相互に係合させる。
【００２８】
第２留め具４２と第４留め具４４を第２側壁３３上に効果的に係合させるために、第２留め具４２と第２側壁３３の間に一対の相互に係合可能な第２係合構造（符号なし、後述する）を設置し、第４留め具４４と第２側壁３３の間に一対の相互に係合可能な第４係合構造（符号なし、後述する）を設置する。
第２係合構造は、第２側壁３３上に設置され、かつ第２位置決め溝３３１により互いに間が隔てられた２つの第２係合孔３３２と、第２留め具４２上に設置され、かつ２つの第２係合孔３３２にそれぞれ対応し、相互に係合される２つの第２係合突起４２１を含む。
第４係合構造は、第２側壁３３上に設置され、かつ第２位置決め溝３３１により互いに間が隔てられた２つの第４係合孔３３３と、第４留め具４４上に設置され、かつ２つの第４係合孔３３３に対応し、相互に係合される２つの第４係合突起４４１を含む。
【００２９】
このため、第３回路板２３が折り曲げられて第２位置決めブロック２３１と第４位置決めブロック２３２により第２位置決め溝３３１内部に固定された後、第２留め具４２の２つの第２係合突起４２１を２つの第２係合孔３３２に対応させて係合することで、第２留め具４２を第２側壁３３上に効果的に固定し、第２位置決めブロック２３１が第２位置決め溝３３１内から脱落しないようにすることができる。
続いて、第４留め具４４の２つの第４係合突起４４１を２つの第４係合孔３３３に対応させて係合することで、第４留め具４４を第２側壁３３上に効果的に固定し、第４位置決めブロック２３２が第２位置決め溝３３１内から脱落しないようにすることができる。
【００３０】
このように、内部モジュール１０を予めモジュール化し、かつ内部モジュール１０上に給電ユニット５０とスピーカー６０を統合することで、内部モジュール１０をワイヤレスイヤホンの内部に直接設置でき、ワイヤレスイヤホンの組立工程を大幅に簡素化すると同時に、組立時の人件費を大幅に削減し、組立コスト削減の効果を達成することができる。
【００３１】
以上の説明は、本発明の実施例の説明にすぎず、これを以って本発明の権利範囲を限定することはできない。当業者による本発明の要旨を逸脱しない修飾や変化はいずれも本発明の権利範囲内に含まれる。
【符号の説明】
【００３２】
１０           内部モジュール
２０           電気回路
２１           第１回路板
２２           第２回路板
２２１          第１位置決めブロック
２２２          第３位置決めブロック
２３           第３回路板
２３１          第２位置決めブロック
２３２          第４位置決めブロック
３０           絶縁座体
３１           底板
３２           第１側壁
３２１          第１位置決め溝
３２２          第１係合孔
３２３          第３係合孔
３３           第２側壁
３３１          第２位置決め溝
３３２          第２係合孔
３３３          第４係合孔
３４           連接壁
３４１          嵌置槽
３５           収容空間
４０           留め具
４１           第１留め具
４１１          第１係合突起
４２           第２留め具
４２１          第２係合突起
４３           第３留め具
４３１          第３係合突起
４４           第４留め具
４４１          第４係合突起
５０           給電ユニット
６０           スピーカー
【図１】
2020102830.tif 000003
【図２】
2020102830.tif 000004
【図３】
2020102830.tif 000005
【図４】
2020102830.tif 000006
【図５】
2020102830.tif 000007
【図６】
2020102830.tif 000008
【図７】
2020102830.tif 000009